(57)【要約】【課題】髪の水分量を適度に保ちつつ、効率的に髪を乾かすことが可能なドライヤーを提供することを目的とする。【解決手段】対象物に送風する送風手段と、前記対象物の水分量を非接触で測定する水分量測定手段と、前記対象物までの距離を非接触又は接触で測定する距離測定手段と、前記水分量及び前記距離に基づいて前記送風手段の風量を制御する送風制御手段と、を有することを特徴とする。【選択図】図１
2020171488.tif 000002
【特許請求の範囲】
【請求項１】
対象物に送風する送風手段と、
前記対象物の水分量を非接触又は接触で測定する水分量測定手段と、
前記対象物までの距離を非接触で測定する距離測定手段と、
前記水分量及び前記距離に基づいて前記送風手段の風量を制御する送風制御手段と、を有することを特徴とするドライヤー。
【請求項２】
前記距離に応じて、前記対象物に近いところから順に第１の領域、第２の領域及び第３の領域とし、前記第１の領域における前記風量を第１の基準風量とし、前記第２の領域における前記風量を第２の基準風量とし、前記第３の領域における前記風量を第３の基準風量としたとき、
前記送風制御手段は、前記第１の基準風量、前記第２の基準風量、前記第３の基準風量の順に大きくなるように前記風量を制御することを特徴とする請求項１に記載のドライヤー。
【請求項３】
前記第１の領域は、前記距離が０ｃｍより大きく１０ｃｍ以下の領域であり、
前記第２の領域は、前記距離が１０ｃｍより大きく５０ｃｍ未満の領域であり、
前記第３の領域は、前記距離が５０ｃｍ以上の領域であることを特徴とする請求項２に記載のドライヤー。
【請求項４】
前記第１の基準風量は、０．７ｍ３／分〜０．９ｍ３／分であり、
前記第２の基準風量は、前記第１の基準風量に、前記距離が１０ｃｍから５０ｃｍに向かって大きくなるにつれて段階的に大きくなる加算風量を加えたものであり、
前記第３の基準風量は、１．４ｍ３／分〜２．０ｍ３／分であることを特徴とする請求項２又は３に記載のドライヤー。
【請求項５】
前記送風制御手段は、前記距離が５０ｃｍ以上であり、かつ、前記送風手段の送風している時間が所定の時間を経過した場合、前記風量を０．８ｍ３／分に近づけることを特徴とする請求項１〜４のいずれかに記載のドライヤー。
【請求項６】
前記水分量測定手段は、近赤外線センサを用いたものであり、あらかじめ水分を拭き取った金属表面を前記近赤外線センサで測定しておき、この測定値をＸとするとともに測定値Ｘを水分量０％と定義し、あらかじめ水の表面を前記近赤外線センサで測定しておき、この測定値をＹとするとともに測定値Ｙを水分量１００％と定義し、
前記Ｘ及び前記Ｙは前記ドライヤー内の記憶領域に保持されており、
前記対象物に対して前記水分量測定手段により測定した値をＡとし、下記式（１）で求められる水分量［％］を第１の水分量としたとき、前記送風制御手段は、前記第１の水分量が６０％以下である場合、前記風量を前記第１の基準風量、前記第２の基準風量又は前記第３の基準風量の５％〜１５％低い値にすることを特徴とする請求項２〜５のいずれかに記載のドライヤー。
｛Ａ／（Ｘ＋Ｙ）｝×１００［％］・・・式（１）
【請求項７】
前記送風制御手段は、前記第１の水分量が８０％以上である場合、前記風量を前記第１の基準風量、前記第２の基準風量又は前記第３の基準風量の５％〜１５％高い値にすることを特徴とする請求項６に記載のドライヤー。
【請求項８】
前記水分量測定手段は、近赤外線センサを用いたものであり、あらかじめ水分を拭き取った金属表面を前記近赤外線センサで測定しておき、この測定値をＸとするとともに測定値Ｘを水分量０％と定義し、あらかじめ水の表面を前記近赤外線センサで測定しておき、この測定値をＹとするとともに測定値Ｙを水分量１００％と定義し、あらかじめ恒温恒湿装置を用いて下記測定条件で得られた測定値をＺとするとともに下記式（２）で求められる水分量［％］を第２の水分量と定義し、
前記Ｘ、前記Ｙ及び前記第２の水分量は前記ドライヤー内の記憶領域に保持されており、
前記対象物に対して前記水分量測定手段により測定した値をＡとし、下記式（１）で求められる水分量［％］を第１の水分量としたとき、
前記送風制御手段は、前記第１の水分量が前記第２の水分量に近づくように前記風量を制御することを特徴とする請求項２〜４のいずれかに記載のドライヤー。
｛Ａ／（Ｘ＋Ｙ）｝×１００［％］・・・式（１）
｛Ｚ／（Ｘ＋Ｙ）｝×１００［％］・・・式（２）
＜測定条件＞
温度２３℃、湿度５０％とした恒温恒湿内に人間の毛束を１５分間置いた後、前記人間の毛束を前記近赤外線センサにより測定する。
【請求項９】
前記送風制御手段は、前記第１の水分量と前記第２の水分量の関係が下記式（３）である場合、前記風量を前記第１の基準風量、前記第２の基準風量又は前記第３の基準風量の５％〜１５％低い値にし、前記第１の水分量と前記第２の水分量の関係が下記式（４）である場合、前記風量を前記第１の基準風量、前記第２の基準風量又は前記第３の基準風量の５％〜１５％高い値にすることを特徴とする請求項８に記載のドライヤー。
第１の水分量［％］≦第２の水分量［％］−１０％・・・式（３）
第１の水分量［％］≧第２の水分量［％］＋１０％・・・式（４）
【請求項１０】
加熱手段と、該加熱手段を制御する加熱制御手段と、を有し、
前記加熱制御手段は、前記第１の水分量が６０％以下の場合、前記加熱手段をＯＦＦにし、前記第１の水分量が８０％以上の場合、前記加熱手段をＯＮにすることを特徴とする請求項６〜９のいずれかに記載のドライヤー。
【請求項１１】
加熱手段と、該加熱手段を制御する加熱制御手段と、を有し、
前記加熱制御手段は、前記距離が１０ｃｍ以下の場合、前記加熱手段をＯＦＦにすることを特徴とする請求項１〜１０のいずれかに記載のドライヤー。
【請求項１２】
前記水分量測定手段及び前記距離測定手段は、前記送風手段による風が流れる部分の外側に一体的に備えられていることを特徴とする請求項１〜１１のいずれかに記載のドライヤー。
【発明の詳細な説明】
【技術分野】
【０００１】
本発明は、ドライヤーに関する。
【背景技術】
【０００２】
ドライヤーは、個人、美容室、床屋、病院などで使用されている家電製品であり、広く一般に普及している。
髪を乾かす際には、速く乾かすことも大事であるが、髪の水分量を適切な量に維持することが重要である。髪の水分量が少ないと、髪のキューティクルが傷んだり、剥がれたりしてしまい、髪がパサつき、つやのあるきれいな状態が保てない。一方、髪の水分量が多いと、キューティクルが開いた状態のまま乾燥していくため、髪の内部の水分量が減り、パサつきの原因となる。
ドライヤーに関して、髪の水分量に着目した先行技術として例えば以下のものが提案されている。
【０００３】
特許文献１では、髪の湿気含有量の遠隔感知器を用い、髪から反射される放射線における放射線エネルギーの総量の変化を湿気含有量の尺度とし、この変化に応じて暖かい空気を制御することが記載されている。また、特許文献１では、ヘアの湿り気が減少したときに、加熱素子の電力を低減することが記載されている。
【０００４】
特許文献２では、毛髪の過乾燥を防ぐことを目的として、毛髪の温度を非接触で測定し、毛髪温度・毛髪温度の変化率に応じて風温または風量を制御することが開示されている。特許文献２では、毛髪の水分率に応じてヒータのパワー、風量・風温を制御すると記載されているが、水分率は温度変化率から推定している。
【０００５】
特許文献３では、毛髪の状態に応じて送風温度、送風量を制御することが開示されており、毛髪の状態として毛髪の温度、毛髪の濡れ具合が挙げられている。特許文献３では、毛髪の傷みを確実に抑制することができるとし、また、毛髪の濡れ具合としては光反射率を測定している。
【先行技術文献】
【特許文献】
【０００６】
【特許文献１】特表２００１−５０８３４８号公報
【特許文献２】特開平０５−１８４４２０号公報
【特許文献３】特開平０４−３３６０２号公報
【発明の概要】
【発明が解決しようとする課題】
【０００７】
しかしながら、従来の技術では、髪の水分量を考慮して送風温度や風量を制御するとしているものの、髪の水分量を考慮しつつ、髪を速く乾かすことは未だ不十分であり、髪を乾かすのに時間がかかり、髪が濡れた状態が長く続いてしまう問題があった。そのため、髪の水分量を適度に保ちつつ、効率的に髪を乾かすことができるドライヤーが求められている。
【０００８】
本発明は、対象物の水分量を適度に保ちつつ、効率的に対象物を乾かすことが可能なドライヤーを提供することを目的とする。
【課題を解決するための手段】
【０００９】
上記課題を解決するために、本発明のドライヤーは、対象物に送風する送風手段と、前記対象物の水分量を非接触又は接触で測定する水分量測定手段と、前記対象物までの距離を非接触で測定する距離測定手段と、前記水分量及び前記距離に基づいて前記送風手段の風量を制御する送風制御手段と、を有することを特徴とする。
【発明の効果】
【００１０】
本発明によれば、対象物の水分量を適度に保ちつつ、効率的に対象物を乾かすことが可能なドライヤーを提供することができる。
【図面の簡単な説明】
【００１１】
【図１】本発明に係るドライヤーの一例を説明するための図である。
【図２】本発明に係るドライヤーの他の例を説明するための図である。
【図３】本発明に係るドライヤーの一例における距離の測定方法を説明するための側面図（Ａ）及び要部斜視図（Ｂ）である。
【図４】本発明に係るドライヤーの一例における距離の測定方法を説明するための他の図である。
【図５】本発明に係るドライヤーの他の例を説明するための断面模式図である。
【図６】本発明に係るドライヤーの他の例を説明するための側面模式図（Ａ）及び正面図（Ｂ）〜（Ｄ）である。
【図７】本発明に係るドライヤーの他の例を説明するための図である。
【発明を実施するための形態】
【００１２】
以下、本発明に係るドライヤーについて図面を参照しながら説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１３】
本発明のドライヤーは、対象物に送風する送風手段と、前記対象物の水分量を非接触で測定する水分量測定手段と、前記対象物までの距離を非接触又は接触で測定する距離測定手段と、前記水分量及び前記距離に基づいて前記送風手段の風量を制御する送風制御手段と、を有することを特徴とする。
なお、距離測定手段により測定される対象物までの距離を単に「距離」などとも称することがある。
【００１４】
（第１の実施形態）
本発明のドライヤーに係る一実施形態について説明する。本実施形態のドライヤーを図１に示す。図１では、ドライヤー本体１０、水分量測定手段１１、距離測定手段１２、スイッチ１３、通気口１４、毛髪２０（対象物）が図示されている。本実施形態の水分量測定手段１１は非接触で対象物の水分量を測定するものである。なお、ドライヤーに電源を供給する電源ケーブルは図示を省略している。
【００１５】
本実施形態のドライヤーにより送風される対象物としては、特に制限されるものではなく、例えば図示される毛髪２０が挙げられる。また、人間の毛髪に限られず、動物であってもよいし、ウィッグ等の物であってもよい。
【００１６】
本実施形態のドライヤーはシロッコタイプのドライヤーであるが、本発明はこれに限られるものではない。シロッコタイプでは多層の羽を有する筒状の部材が縦向きに回転することにより風を発生させる。シロッコタイプの場合、少ない電力で十分な風量を発生させることができる等の利点がある。なお、シロッコタイプのドライヤーでは、通気口１４を通じて外気が取り入れられる。
【００１７】
水分量測定手段１１は、毛髪２０の水分量を非接触で測定するものであり、例えば測定用の光を照射し、毛髪２０から反射された光を検知することで測定を行う。図中矢印（符号２４）は、測定用の光と反射された光を模式的に示すものである。
【００１８】
距離測定手段１２は、距離測定手段１２から毛髪２０までの距離を非接触で測定するものであり、例えば測定用の光を照射し、毛髪２０から反射された光を検知することで測定を行う。図中矢印（符号２６）は、測定用の光と反射された光を模式的に示すものである。
【００１９】
なお、図１では、水分量測定手段１１をドライヤーの送風口の下側に配置し、距離測定手段１２をドライヤーの送風口の上側に設置しているが、これに限られるものではなく、適宜変更することが可能である。上記の他にも、例えば、ドライヤーの送風口の下側に距離測定手段１２を配置してもよいし、ドライヤーの送風口の上側に水分量測定手段１１を配置してもよい。また、水分量測定手段１１と距離測定手段１２をドライヤーの送風口の上側又は下側ではなく、左側又は右側に配置してもよい。
【００２０】
また、図１では、水分量測定手段１１と距離測定手段１２をドライヤーの送風口の周辺、換言すると、ドライヤー本体１０の端部側に設置しているが、必要に応じて設置場所を変更することができる。例えば、必要に応じて、水分量測定手段１１と距離測定手段１２を通気口１４に近い場所に設置してもよい。
【００２１】
＜距離測定手段＞
本実施形態の距離測定手段は対象物までの距離を非接触で測定する。
本実施形態における距離測定の一例を説明するための図を図２に示す。図２では、距離測定手段１２として、発光素子１２ａと受光素子１２ｂを用いた例を示す。本発明では、ＴＯＦ（ｔｉｍｅ  ｏｆ  ｆｌｉｇｈｔ）方式を用いたものであることが好ましく、本実施形態における図２に示される例ではＴＯＦ方式を利用した場合の例である。
【００２２】
発光素子１２ａから参照光（Ａ）を対象物（ここでは毛髪２０）に照射し、対象物からの反射光（Ｂ）を受光素子１２ｂが検知する。発光素子１２ａから参照光が照射されてから、受光素子１２ｂで検知するまでの時間を計測し、その時間を距離に換算することで、対象物との距離を測定するものである。
【００２３】
発光素子１２ａとしては、適宜変更することが可能であり、例えば市販のＬＥＤ、ＬＤ等を用いることができる。
受光素子１２ｂとしては、適宜変更することが可能であり、例えば市販のイメージセンサを用いることができる。市販品としては例えば、浜松ホトニクス社製のＳ１３０２１−０１ＣＴ、Ｓ１２９７３−０１ＣＴ等が挙げられる。
【００２４】
なお、Ｓ１３０２１−０１ＣＴは１ｃｈであり、Ｓ１２９７３−０１ＣＴは１６ｃｈである。
１ｃｈは１チャンネルの意味であり、１ｃｈの場合、ポイントでの一箇所の測定を意味する。１６ｃｈの場合、１６箇所の測定を意味し、平均値等を取得する。距離測定手段では、測定箇所をエリア（面）で測るか、ポイント（点）で測るか、リニア（直線内の何点かのポイント）で測るかといった違いがある。エリアやリニアで測定した場合は測定数の平均値等を取得する。エリアやリニアで測定した場合、ポイントで測定した場合に比べ、対象物との距離を精度良く測定することができる。ただし、本発明においては、ポイント、リニア、エリア全てを用いることができる。
【００２５】
図２では、発光素子１２ａを２つ図示しているが、これに限られるものではなく、発光素子１２ａの数や配置箇所は適宜変更することができる。発光素子１２ａの数が多いほど、測定する距離の精度は向上するが、制御がより複雑になるため、適宜調整すればよい。
【００２６】
また、図１では、図２に示される発光素子と受光素子をドライヤーの送付口の上側に一体として設けられているが、これに限られるものではない。発光素子と受光素子をそれぞれ別の場所に設置してもよい。
【００２７】
ここで、本実施形態に係るドライヤーの他の例を図３に示す。図３（Ａ）は本例の全体図を模式的に説明する図であり、図３（Ｂ）は本例の拡大図を模式的に説明する図である。なお、図３（Ｂ）では距離測定手段１１を省略している。
図３に示される例では、距離測定手段が異なっており、発光部１２ｃと受光部１２ｄが図示されている。発光部１２ｃは例えば上記の発光素子１２ａを用いるものであり、受光部１２ｄは例えば上記の受光素子１２ｂを用いるものである。
ここで示される例では、発光部１２ｃをドライヤーの送風口１６の周りに複数配置している。発光部１２ｃを複数配置することにより、対象物までの距離をより正確に測定することができる。
【００２８】
本実施形態における距離測定手段について、検知領域を説明するための図を図４に示す。図４はドライヤー及び毛髪２０を上から見た場合の模式図である。
【００２９】
本実施形態における距離測定手段１２としては、図示されるように、視野角θを有している。
距離測定手段の視野角は、３°以上１５°以下であることが好ましい。視野角を３°以上１５°以下とすることで、対象物を精度良く検知することができることに加え、より長い距離を測定することができ、例えば５０ｃｍ〜７０ｃｍ程度の距離を測定することができる。
図４に示される例では、水平方向において視野角をθとしているが、垂直方向（水平方向と垂直な方向）においても、視野角を３°以上１５°以下とすることで、対象物をより精度よく検知することができる。なお、視野角θを調整するには、例えば受光素子１１ｂの受光角度を調整することが挙げられる。
【００３０】
また、視野角を３°以上１５°以下とすることで、リニアサイズを３ｃｍ〜１０ｃｍとすることができる。リニアサイズとは、対象物に対してリニア（直線）で検知した場合の長さを意味する。リニアサイズを上記のような範囲とすることにより、例えば、検知された対象物が人間の毛髪等ではなく、小さな物体（点）である場合に、誤った制御をしてしまうことを防止することができる。
【００３１】
本実施形態に係るその他の例を図５に示す。図５は断面模式図であり、ファン３１（送風手段）、モーター３２、送風制御手段３３、ヒーター３５（加熱手段）、加熱制御部３６、セラミック３８が図示されている。本例では、ファン３１で発生させた風をヒーター３５により加熱して温風を髪に供給する。
なお、本例では送風制御手段３３と加熱制御部３６を別の構成として図示しているが、これに限られるものではなく、送風制御手段３３と加熱制御部３６が一体の構成であってもよい。
【００３２】
ヒーター３５は、加熱制御部３６によりＯＮ／ＯＦＦが制御される。加熱制御部３６は、必要に応じてヒーター３５に供給するパワーを調整して、ヒーター３５の加熱温度を調整するようにしてもよい。
【００３３】
ファン３１は、送風制御手段３３により風量が制御される。風量を制御する方法としては、適宜変更することが可能であり、例えば、本例におけるモーター３２の回転数を制御し、風量を制御することが挙げられる。
【００３４】
また、本例のように、ドライヤーの吹き出し口にセラミック３８を設けてもよい。セラミック３８は、温度が上昇することで遠赤外線を放射するように構成されていることが好ましい。遠赤外線を放射することにより、毛髪の表面温度が上がり過ぎることなく、毛髪を乾かすことができる。
セラミック３８の形状としては、例えば格子状が挙げられ、格子の穴を風が通る構成が挙げられる。
【００３５】
＜水分量測定手段＞
本実施形態の水分量測定手段１２は、例えば、近赤外線センサを用いる。
近赤外線センサとしては、特に制限されるものではないが、浜松ホトニクス社製Ｐ１３５６７−０１ＣＴ等が挙げられる。
【００３６】
なお、水は特定の赤外線波長を吸収する性質があり、赤外線センサは、水の吸収帯の特定波長の近赤外線を照射し、反射した近赤外線を受光して反射量を測定する。そのため、本実施形態で用いられる近赤外線センサを近赤外線反射型センサなどとも称する。
【００３７】
水分量測定手段における水分量の求め方と、送風制御手段における制御方法の例を説明する。
あらかじめ水分を拭き取った金属表面を近赤外線センサで測定しておき、この測定値をＸとするとともに測定値Ｘを水分量０％と定義する。また、あらかじめ水の表面を近赤外線センサで測定しておき、この測定値をＹとするとともに測定値Ｙを水分量１００％と定義する。
【００３８】
なお、前記金属としては、特に制限されるものではなく、適宜変更することが可能である。例えば、鉄、ステンレス等が挙げられる。
【００３９】
上記のように測定された測定値Ｘ及び測定値Ｙは、ドライヤー内の記憶領域に保持しておく。
記憶領域に保持する方法としては、特に制限されるものではなく、公知の方法を用いることができる。例えば、マイコン内のソフトウェア上で設定する。
測定値Ｘ及び測定値Ｙを保持しておくことで、ドライヤー使用時に水分量測定手段によって測定された実測値がマイコン等に入力され、実測値と測定値Ｘ及び測定値Ｙとを比較演算し、その結果に対して制御信号として出力することができる。
【００４０】
次いで、対象物に対して水分量測定手段により測定した値をＡとし、下記式（１）で求められる水分量［％］を第１の水分量とする。
｛Ａ／（Ｘ＋Ｙ）｝×１００［％］・・・式（１）
【００４１】
近赤外線センサの測定値は、数値が小さい程、髪に水分が残っていることを意味し、数値が大きい程、髪に水分が残っていないことを意味する。これは、髪に水分があると、測定用の赤外線が吸収され、反射量が減るので、測定値の数値が小さくなるためである。一方、髪に水分がないと、測定用の赤外線の吸収が起こらず、反射量は減らないので、測定値の数値が大きくなる。
【００４２】
なお、本実施形態において、近赤外線センサで測定される測定値をマイコンに取り込み、ソフトウェアで演算処理し、送風手段の風量を制御する。また、水分量測定手段としては、光式と電気式（抵抗値）が挙げられ、いずれも取り込んだ値を、あらかじめ定めた最大値と最小値に対して実測値を％表示する。
【００４３】
＜送風制御手段＞
本実施形態における送風制御手段は、前記水分量及び前記距離に基づいて送風手段の風量を制御する。以下、本実施形態における送風制御手段の一例を説明する。
【００４４】
本実施形態の例では、距離測定手段が測定した対象物までの距離に応じて、対象物に近いところから順に第１の領域、第２の領域及び第３の領域とする。また、第１の領域における風量を第１の基準風量とし、第２の領域における風量を第２の基準風量とし、第３の領域における風量を第３の基準風量とする。このとき、送風制御手段は、第１の基準風量、第２の基準風量、第３の基準風量の順に大きくなるように風量を制御する。距離が大きくなるにつれて、風量を大きくすることにより、効率的に毛髪を乾かすことができる。また、３つの領域を設けることで、効率よく毛髪を乾かすことができる。
【００４５】
第１の領域、第２の領域、第３の領域としては、適宜変更することが可能であり、例えば以下のようにすることができる。
本実施形態では、第１の領域は距離が０ｃｍより大きく１０ｃｍ以下の領域であることが好ましく、第２の領域は距離が１０ｃｍより大きく５０ｃｍ未満の領域であることが好ましく、第３の領域は距離が５０ｃｍ以上の領域であることが好ましい。
このように領域を分けることにより、使用者が自らの髪に使用した場合に、都合よく風量を制御することができる。また、美容室などで店員が客に対して使用する場合、客の頭部までの距離に応じて風量を制御しやすくなる。
なお、第１の領域、第２の領域、第３の領域の境界は、上記のように厳密に１０ｃｍ、５０ｃｍでなくともよい。例えば、１ｃｍ〜５ｃｍ程度のずれがあってもよい。
【００４６】
第１の基準風量、第２の基準風量、第３の基準風量適宜変更することが可能であり、例えば以下のようにすることができる。
本実施形態では、第１の基準風量は、０．７ｍ３／分〜０．９ｍ３／分であることが好ましく、第２の基準風量は、第１の基準風量に、距離が１０ｃｍから５０ｃｍに向かって大きくなるにつれて段階的に大きくなる加算風量を加えたものであることが好ましく、第３の基準風量は、１．４ｍ３／分〜２．０ｍ３／分であることが好ましい。
【００４７】
なお、風量測定方法としては、一般社団法人  日本電機工業会で制定されている風量測定方法により行う。ここで制定されている測定方法は、ＪＩＳ Ｃ ９６０３の附属書１を参考にしている。今後ＪＩＳ化された場合は、その測定方法に従って風量測定を行う。
【００４８】
上記風量に制御する方法としては、特に制限されるものではないが、例えば、モーターの回転数を制御する方法が挙げられる。あらかじめ、上記風量となる場合のモーターの回転数を記憶領域に保持しておき、モーターの回転数を記憶領域に保持された回転数となるように制御してもよい。
【００４９】
第２の領域において、加算風量の値は、適宜変更することができる。例えば、５ｃｍ間隔で風量を増加させてもよい。
第２の領域において、第２の基準風量を段階的に変化させることにより、使用時の違和感を防止できる。
段階的に風量を変化させるには、例えばモーター３２の回転数を段階的に変化させること等が挙げられる。
【００５０】
なお、上記の他にも、例えば、第１の領域、第２の領域、第３の領域を設けずに、距離測定手段から対象物の距離に応じて、送風手段の風量を連続的に変化させてもよい。また、不連続的に風量を変化させてもよい。
【００５１】
送風制御手段は、距離が５０ｃｍ以上であり、かつ、送風手段の送風している時間が所定の時間を経過した場合、風量を０．８ｍ３／分に近づけることが好ましい。
距離が５０ｃｍ以上であり、所定の時間が経過した場合とは、例えば、美容室などにおいて、店員が客にドライヤーを使用する場合であって、離れた距離から使用している場合などが挙げられる。ドライヤーの使用時に距離が離れ過ぎていると、送風を行ってもドライヤーからの風が対象物にあたりにくくなり、効率的に乾かすことができないことがある。このような場合、無駄な稼働となってしまうため、上記のように制御することにより、無駄な稼働を抑え、電力の消費を抑えることができる。
所定の時間とあるのは、特に制限されるものではなく、適宜変更することができる。例えば、１０秒〜６０秒程度とすることが挙げられる。
【００５２】
送風制御手段は、上記の第１の水分量が６０％以下である場合、風量を５％〜１５％低い値にすることが好ましい。上記の例では、風量を第１の基準風量、第２の基準風量又は第３の基準風量の５％〜１５％低い値にすることが好ましい。このように制御することにより、毛髪等の対象物の水分量を過度に減らすことなく、適度な水分量を保った状態で対象物の乾燥を行うことができる。なお、「５％〜１５％低い値にする」とは、基準風量の８５％〜９５％にすることを意味する。
【００５３】
また、送風制御手段は、第１の水分量が８０％以上である場合、風量を第１の基準風量、第２の基準風量又は第３の基準風量の５％〜１５％高い値にすることが好ましい。この場合、対象物が濡れたままの状態を防ぐことができ、効率よく乾燥させることができる。なお、「５％〜１５％高い値にする」とは、基準風量の１０５％〜１１５％にすることを意味する。
【００５４】
第１の水分量が６０％以下である場合、毛髪（対象物）に水分が少ないことを意味するので、この場合に送風手段の風量を小さくすることにより、髪の水分量が少なくなり過ぎることを防ぐことができる。
一方、第１の水分量が８０％以上である場合、毛髪（対象物）に水分が多いことを意味するので、この場合に送風手段の風量を大きくすることにより、髪を効率よく乾かすことができ、髪が乾いていない状態を減らすことができる。
【００５５】
ドライヤーの使用者にとって、毛髪の水分量がどの程度であるかを意識しながらドライヤーを制御することが難しい。本実施形態によれば、適度な水分量を保ちつつ、効率よく乾かすことができる。
【００５６】
送風制御手段は、距離測定手段の検知領域から対象物が外れた場合であって、所定の時間を経過しても対象物が検知されない場合、風量を第１の基準風量、第２の基準風量又は第３の基準風量の５％〜１５％低い値にしてもよく、所定の時間内に対象物が検知された場合、風量に変更を加えないようにしてもよい。
【００５７】
検知領域から対象物が外れた場合とは、例えば、何らかの事情で使用を一時中断したい場合が挙げられる。このような場合、検知領域から対象物が外れる前と同じ風量で稼働していると、無駄な稼働となり、消費電力が増大してしまう。そのため、上記のような制御を行うことにより、無駄な稼働を抑えることができ、消費電力を抑えることができる。
【００５８】
一方、上記の他にも検知領域から対象物が外れた場合とは、ドライヤーを振りながら使用した場合も想定される。この場合、検知領域から対象物が外れたり、また検知されたりすることが繰り返されるが、検知領域から対象物が外れた場合に、風量を弱め、また検知された場合に風量を元に戻すというような制御を行うと、使用者に違和感を与えてしまう可能性が高い。そのため、所定時間内に対象物が検知された場合、風量に変更を加えないようにすることで、違和感なく使用することができる。
【００５９】
この場合の所定の時間とは、適宜変更することが可能であるが、例えば、１秒〜１０秒程度とすればよい。
【００６０】
（第２の実施形態）
次に本発明に係るドライヤーのその他の実施形態について説明する。
上記実施形態と同様の事項については説明を省略する。
【００６１】
本実施形態では、あらかじめ水分を拭き取った金属表面を近赤外線センサで測定しておき、この測定値をＸとするとともに測定値Ｘを水分量０％と定義する。また、あらかじめ水の表面を近赤外線センサで測定しておき、この測定値をＹとするとともに測定値Ｙを水分量１００％と定義する。また、あらかじめ恒温恒湿装置を用いて下記測定条件で得られた測定値をＺとするとともに下記式（２）で求められる水分量［％］を第２の水分量と定義する。
｛Ｚ／（Ｘ＋Ｙ）｝×１００［％］・・・式（２）
【００６２】
＜測定条件＞
温度２３℃、湿度５０％とした恒温恒湿内に人間の毛束を置き、１５分後、近赤外線センサにより測定する。本実施形態では、恒温恒湿内に、測定者とモデルが入り、１５分間置いた後、モデルの髪を近赤外線センサにより測定した。
【００６３】
上記の１５分間とあるのは、目的に応じて１５分前後とすることができ、例えば、１５分間±５分間としてもよい。
【００６４】
上記のように測定された測定値Ｘ、測定値Ｙ及び第２の水分量はドライヤー内の記憶領域に保持しておく。上記実施形態と同様に、記憶領域に保持する方法としては、公知の方法を用いることができる。
【００６５】
次いで、対象物に対して水分量測定手段により測定した値をＡとし、下記式（１）で求められる水分量［％］を第１の水分量とする。
｛Ａ／（Ｘ＋Ｙ）｝×１００［％］・・・式（１）
【００６６】
このとき、送風制御手段は、第１の水分量が第２の水分量に近づくように風量を制御することが好ましい。具体的には、例えば以下のようにすることが好ましい。
【００６７】
第１の水分量と第２の水分量の関係が下記式（３）である場合、風量を第１の基準風量、第２の基準風量又は第３の基準風量の５％〜１５％低い値にすることが好ましい。
第１の水分量［％］≦第２の水分量［％］−１０％・・・式（３）
【００６８】
また、送風制御手段は、第１の水分量と第２の水分量の関係が下記式（４）である場合、風量を第１の基準風量、第２の基準風量又は第３の基準風量の５％〜１５％高い値にすることが好ましい。
第１の水分量［％］≧第２の水分量［％］＋１０％・・・式（４）
【００６９】
上記のように風量を制御することにより、湿度５０％の気候に近い状態で対象物を乾燥させることができる。湿度５０％の気候の場合、日本の気候で最も過ごしやすい湿度となる。そのため、上記のように風量を制御することにより、髪の水分量を適度に保ちつつ、効率的に乾かすことができる。
【００７０】
（第３の実施形態）
次に本発明に係るドライヤーのその他の実施形態について説明する。
上記実施形態と同様の事項については説明を省略する。
【００７１】
本実施形態のドライヤーは、加熱手段と、該加熱手段を制御する加熱制御手段とを有している。本実施形態のドライヤーは、例えば上記の図５の構成とすることができる。
加熱手段としては、特に制限されるものではなく、例えばヒーター等が挙げられる。
【００７２】
本実施形態における加熱制御手段は、上記実施形態における第１の水分量が６０％以下の場合、加熱手段をＯＦＦにし、第１の水分量が８０％以上の場合、加熱手段をＯＮにする。このように制御することで、適度な水分量を保ちつつ、効率よく乾かすことができる。加熱手段をＯＮにすることで髪には温風が供給されることとなるが、温風が供給されることにより、髪の水分量は減少していく。そのため、髪の水分量に応じて加熱手段を制御することで、よりツヤのあるきれいな髪にすることができる。
【００７３】
また、距離が１０ｃｍ以下の場合、加熱手段をＯＦＦにするように制御してもよい。このようにすることで、過乾燥を防ぐことができる。また、所定の距離よりも大きくなった場合、加熱手段をＯＮにするようにしてもよい。なお、上記所定の距離は、特に制限されるものではないが、例えば５０ｃｍとすることができる。
【００７４】
（第４の実施形態）
次に本発明に係るドライヤーのその他の実施形態について説明する。
上記実施形態と同様の事項については説明を省略する。
本実施形態のドライヤーを図６に示す。図６（Ａ）は本実施形態のドライヤーの側面の模式図であり、図６（Ｂ）〜図６（Ｄ）は本実施形態のドライヤーを正面から見た場合の模式図である。
【００７５】
本実施形態では、図６（Ａ）及び図６（Ｂ）に示されるように、水分量測定手段及び距離測定手段は、送風手段による風が流れる部分の外側（送風部１９）に一体的に備えられている。ここでは、水分量測定手段及び距離測定手段を一体として符号１５（モジュール収納部１５）で表している。
このように、水分量測定手段及び距離測定手段を一体的に備えることにより、デザイン性に優れたドライヤーとすることができる。また、一体的に備えることにより、重心が安定し、操作性に優れたドライヤーとすることができる。
【００７６】
なお、図６に示される例では、モジュール収納部１５を通気口１４側に配置しているが、これに限られるものではなく、送風口１６側、換言するとドライヤー本体の端部側に配置してもよい。また、図６に示される例では、モジュール収納部１５は送風部１９の下側に備えられており、この場合、重心が安定し、操作性に優れる。本発明においては、これに限られるものではなく、送風部１９の上側等に備えられていてもよい。
【００７７】
本実施形態において、一体的であるとは、図６（Ｂ）に示される例に限られるものではない。例えば、一つのカバーによって囲まれた領域内に水分量測定手段及び距離測定手段がおさめられている場合なども含まれる。例えば、図６（Ｃ）に示されるように、水分量測定手段１１と距離測定手段１２とが別体であっても、図６（Ｄ）に示されるように、１つのカバー１７（破線）によって囲むことができる場合、本実施形態に含まれるものとする。
【００７８】
（第５の実施形態）
次に本発明に係るドライヤーのその他の実施形態について説明する。
上記実施形態と同様の事項については説明を省略する。
【００７９】
本実施形態の水分量測定手段は接触で対象物の水分量を測定するものである。
本実施形態のドライヤーを図７に示す。図７では、水分センサ４１と支持部材４２が図示されている。水分センサ４１は支持部材４２に支持され、対象物（例えば毛髪）に接触した状態で対象物の水分量を測定することができる。
【００８０】
支持部材４２は、特に制限されるものではないが、伸縮可能であり、この場合、水分センサ４１が対象物に接触した状態でドライヤーと対象物との距離を変更させることができる。また、支持部材４２は、水分センサ４１で測定された水分量のデータをドライヤーの制御部（又は送信部等）に伝達する機能を有する。
【００８１】
なお、支持部材４２の長さが固定であり、伸縮しない場合、ドライヤー使用中における、ある時点で水分センサ４１によって測定した値を記憶しておき、記憶した値と距離測定手段によって測定された距離とに基づいて風量を制御する。また、水分センサ４１によって再度測定された場合、記憶された値を更新する。
【００８２】
水分センサ４１は、公知のセンサを用いることができる。また、水分センサ４１によって測定される水分量は、上記第１の実施形態における水分量測定手段と同様にして近赤外線を用いた方法により求めることができる。この場合、上記第１の実施形態において、「近赤外線センサ」又は「近赤外線反射型センサ」を「水分センサ」と読み替えるものとする。また、水分センサについても、数値が小さい程、髪に水分が残っている状態となる。
【００８３】
本実施形態においても、水分量測定手段により測定された対象物の水分量、及び、距離測定手段１２により測定された対象物との距離に基づいて送風手段の風量が制御される。送風手段の風量の制御については、上記実施形態と同様に行うことができる。
【００８４】
接触式で対象物の水分量を測定する場合、非接触式に比べてより精度良く対象物の水分量を測定することができる。そのため、本実施形態によれば、より精度良く対象物の水分量を測定することができる。
【００８５】
（応用例）
上記実施形態のように制御する場合を例えばオートモード（自動モード）とし、使用者が自ら風量や加熱を操作する場合をマニュアルモード（手動モード）などとしてもよい。このような切り替えは、例えばスイッチ１３で行うようにしてもよい。
また、オードモードでは風量のみをドライヤー側で制御する、あるいは加熱手段のみをドライヤー側で制御する等の設定を行うことができるようにしてもよい。
【符号の説明】
【００８６】
１０    ドライヤー本体
１１    水分量測定手段
１２    距離測定手段
１２ａ  発光素子
１２ｂ  受光素子
１２ｃ  発光部
１２ｄ  受光部
１３    スイッチ
１４    通気口
１５    モジュール収納部
１６    送風口
１７    カバー
１８    持ち手部
１９    送風部
２０    毛髪
３１    ファン
３２    モーター
３３    送風制御手段
３５    ヒーター
３６    加熱制御部
３８    セラミック
４１    水分センサ
４２    支持部材
【図１】
2020171488.tif 000003
【図２】
2020171488.tif 000004
【図３】
2020171488.tif 000005
【図４】
2020171488.tif 000006
【図５】
2020171488.tif 000007
【図６】
2020171488.tif 000008
【図７】
2020171488.tif 000009